(57)【要約】【課題】複数のタッチパネルを搭載した携帯端末上で、指等を直接タッチパネルに接触させて行う接触操作と、接触させないで行う空間操作という２つの操作方法を両立した、今までにない新たな操作方法を提供すること。【解決手段】第一の感度範囲の入力指示を検出する検出部１Ａを備えたタッチパネル１と、第二の感度範囲の入力指示を検出する検出部２Ａを備えたタッチパネル２と、前記第一および前記第二の入力手段から検出データを受け、対応する操作内容に変換する第一の操作判定部３Ａおよび第二の操作判定部３Ｂと、前記第一の操作判定部３Ａおよび前記第二の操作判定部３Ｂにおいて操作判定するとき、空間操作及び接触操作のうち、いずれの操作内容として判定するか否かを決定する空間／接触判定部３Ｄとを備えた構成を有する。【選択図】図１
2011022961.tif 000002
【特許請求の範囲】
【請求項１】
第一の感度範囲の入力指示を検出する第一の入力手段と、
第二の感度範囲の入力指示を検出する第二の入力手段と、
前記第一の入力手段から検出データを受け、対応する操作内容に変換する第一の操作判定部と、
前記第二の入力手段から検出データを受け、対応する操作内容に変換する第二の操作判定部と、
前記第一の操作判定部および前記第二の操作判定部において操作判定する際に、空間操作及び接触操作のうち、いずれの操作内容として判定するか否かを決定する空間／接触判定部と、
アプリケーションの種別と状態を示す情報を管理する管理部と、
前記第一の操作判定部および前記第二の操作判定部からの操作データを合成し、前記管理部で管理されているアプリケーションの操作情報として出力するデータ合成部と、
を備えていることを特徴とする入力制御装置。
【請求項２】
前記第一の入力手段が静電式のタッチパネルであり、前記第二の入力手段が抵抗膜式のタッチパネルであることを特徴とする請求項１記載の入力制御装置。
【請求項３】
前記第一の入力手段が静電式のタッチパネルであり、前記第二の入力手段が光学式のタッチパネルであることを特徴とする請求項１記載の入力制御装置。
【請求項４】
前記第一の入力手段が静電式のタッチパネルであり、前記第二の入力手段も静電式のタッチパネルであることを特徴とする請求項１記載の入力制御装置。
【請求項５】
前記第一の操作判定部は、前記第一の入力手段が第一の感度範囲において所定の操作を検出したとき、スクロール操作と判定し、
前記第二の操作判定部は、前記第二の入力手段が第二の感度範囲において前記所定の操作を検出したとき、ドラッグ操作及びタッチ操作と判定することを特徴とする請求項１記載の入力制御装置。
【請求項６】
前記第一の操作判定部は、前記第一の入力手段が第一の感度範囲における入力指示として、一定時間置かれた操作であることを検出したとき、前記アプリケーション上の項目に対する選択操作と判定し、
前記第二の操作判定部は、前記第二の入力手段が第二の感度範囲における入力指示として、前記一定時間置かれた操作であることを検出したとき、タッチ操作と判定することを特徴とする請求項１記載の入力制御装置。
【請求項７】
前記第一の操作判定部は、前記第一の入力手段が第一の感度範囲内の上下運動操作を入力指示として検出したとき、アプリケーションの拡大・縮小操作と判定し、
前記第二の操作判定部は、前記第二の入力手段が第二の感度範囲内の上下運動操作を入力指示として検出したとき、タッチ操作及びリリース操作と判定することを特徴とする請求項１記載の入力制御装置。
【請求項８】
前記第一の操作判定部は、前記第一の入力手段が第一の感度範囲において囲い操作を検出したとき、アプリケーションの範囲選択操作と判定し、
前記第二の操作判定部は、前記第二の入力手段が第二の感度範囲において囲い操作を検出したとき、ドラッグ操作と判定することを特徴とする請求項１記載の入力制御装置。
【発明の詳細な説明】
【技術分野】
【０００１】
本発明は、特に複数のタッチパネルを備えた入力制御装置に関する。
【背景技術】
【０００２】
近年、携帯電話装置、携帯情報端末、携帯音楽プレーヤなどの各種電子機器において、入力指示を行う入力装置に関して様々な工夫が施されている。特に、電子機器の入力装置として、最近では、操作面上の任意の位置を触れる操作をすることで入力指示を行うタッチパネルを備えたものが広く用いられつつある。一般的にユーザは、タッチパネル上を指やタッチペン等を用いてタッチやなぞる等の操作を行い、搭載される携帯端末の文字の選択／入力や画面スクロール等の所望の動作をさせる。
【０００３】
近年はこれらに加え、タッチパネル上の複数点を検知することにより、タッチパネルを用いた携帯端末の操作性を向上させる装置が出てきている。
【０００４】
特許文献１には、複数点を検知するタッチパネルが開示されており、図１３は、特許文献１のタッチパネルの概略を示す図である。
【先行技術文献】
【特許文献】
【０００５】
【特許文献１】特表２００７−５３３０４４号公報
【発明の概要】
【発明が解決しようとする課題】
【０００６】
しかしながら、特許文献１における従来例においても、タッチやなぞるといった操作の他にフリックやピンチといったジェスチャー操作が加えられるだけの限られた操作しか認識できない。その為、複雑な操作や搭載された機能を使用するのにナビキーやソフトキーを搭載した携帯端末に比べて、必ずしも操作性が良いとは言えない場合が生じてくる。例えば、ドラッグ操作をしようとパネルに触れた際にタッチ操作と誤認識される場合などである。
【０００７】
本発明は、これら従来の問題点を解決する為になされたもので、複数のタッチパネルを搭載した携帯端末上で、指等を直接タッチパネルに接触させて行う接触操作と、接触させないで行う空間操作という２つの操作方法を提供する。これにより、今までにない新たな操作方法を実現した入力制御装置を提供することにある。
【課題を解決するための手段】
【０００８】
本発明の入力制御装置は、第一の感度範囲の入力指示を検出する第一の入力手段と、第二の感度範囲の入力指示を検出する第二の入力手段と、前記第一の入力手段から検出データを受け、対応する操作内容に変換する第一の操作判定部と、前記第二の入力手段から検出データを受け、対応する操作内容に変換する第二の操作判定部と、前記第一の操作判定部および前記第二の操作判定部において操作判定する際に、空間操作及び接触操作のうち、いずれの操作内容として判定するか否かを決定する空間／接触判定部と、アプリケーションの種別と状態を示す情報を管理する管理部と、前記第一の操作判定部および前記第二の操作判定部からの操作データを合成し、前記管理部で管理されているアプリケーションの操作情報として出力するデータ合成部と、を備えた構成を有する。
【０００９】
この構成により、複数のタッチパネルを搭載した携帯端末上で、指等を直接タッチパネルに接触させて行う接触操作と、接触させないで行う空間操作という２つの操作方法を両立した、今までにない新たな操作方法を提供することができる。
【発明の効果】
【００１０】
本発明によれば、複数のタッチパネルを搭載した携帯端末上で、指等を直接タッチパネルに接触させて行う操作と、接触させないで行う操作という２つの操作方法を実現することにより、新たな操作方法を提供することができる。
【図面の簡単な説明】
【００１１】
【図１】本発明の実施形態１における入力制御装置の構成を示すブロック図
【図２】本発明の実施の形態１における入力制御装置の感度制御部１Ｂおよび感度制御部２Ｂの感度範囲を模式的に示す図
【図３】本発明の実施形態１における入力制御装置のタッチパネル１およびタッチパネル２の動作手順を説明するフローチャート
【図４】本発明の実施の形態１における入力制御装置のアプリ制御部３内の管理部３Ｅと各種アプリケーション４との動作手順を説明するフローチャート
【図５】本発明の実施形態１における入力制御装置のアプリ制御部３の動作手順を説明するフローチャート
【図６】本発明の実施形態４における入力制御装置において、空間操作による画面スクロールしたときの表示画面の遷移を示す図
【図７】本発明の実施形態４における入力制御装置において、接触操作による選択フォルダのドラッグ操作したときの表示画面の遷移を示す図
【図８】本発明の実施形態５における入力制御装置において、空間操作によるアイコン選択したときの表示画面の遷移を示す図
【図９】本発明の実施形態５における入力制御装置において、空間操作によるＷｅｂ  ＬＩＮＫを選択したときの表示画面の遷移を示す図
【図１０】本発明の実施形態６における入力制御装置において、空間操作による画面拡大したときの表示画面の遷移を示す図
【図１１】本発明の実施形態６における入力制御装置において、空間操作による画面縮小したときの表示画面の遷移を示す図
【図１２】本発明の実施形態７における入力制御装置において、空間操作によるフォルダや画像等の複数選択したときの表示画面の遷移を示す図
【図１３】従来のタッチパネル搭載端末を操作する図
【発明を実施するための形態】
【００１２】
以下、本発明の実施の形態について、図面を参照しながら説明する。
【００１３】
(実施の形態１)
図１は、本発明の実施の形態１における入力制御装置の構成を示すブロック図である。なお、図１においては、発明に係る構成のみを図示しており、適用される端末等におけるその他の要素についての図示は省略する。
【００１４】
入力制御装置は、タッチパネル１、タッチパネル２、アプリ制御部３、および各種アプリケーション４から構成されている。
【００１５】
タッチパネル１は、パネル表面の表面電荷の変化を捕らえることによって操作位置を検出する静電容量式であり、検出部１Ａ、感度制御部１Ｂ、検出判定部１Ｃ、通知部１Ｄから構成されている。
【００１６】
検出部１Ａは、図示しない入力指示部（例えば、ユーザの指、スタイラスなど）による操作内容を検出する。
【００１７】
感度制御部１Ｂは、タッチパネル１における検出感度を調整値によって設定する機能を持ち、予めその調整用の設定値が設定されている。
【００１８】
検出判定部１Ｃは、検出された操作を位置情報などの検出データとして作成する。
【００１９】
通知部１Ｄは、検出判定部１Ｃで作成した検出データをアプリ制御部３に通知する。
【００２０】
タッチパネル２は、タッチパネル１と同様、静電容量式であり、検出部２Ａ、感度制御部２Ｂ、検出判定部２Ｃ、通知部２Ｄから構成されている。
【００２１】
検出部２Ａは、図示しない入力指示部（例えば、ユーザの指、スタイラスなど）による操作内容を検出する。
【００２２】
感度制御部２Ｂは、タッチパネル２における検出感度を調整値によって設定する機能を持ち、予めその調整用の設定値が設定されている。ここで、感度制御部２Ｂの検出感度は、感度制御部１Ｂと異なる検出感度に調整が施されているものとする。
【００２３】
検出判定部２Ｃは、検出された操作を位置情報などの検出データとして作成する。
【００２４】
通知部２Ｄは、検出判定部２Ｃで作成した検出データをアプリ制御部３に通知する。
【００２５】
アプリ制御部３は、操作判定部３Ａ、操作判定部３Ｂ、操作データ合成部３Ｃ、空間／接触判定部３Ｄ、管理部３Ｅから構成されている。
【００２６】
操作判定部３Ａ及び３Bは、タッチパネル１およびタッチパネル２からの検出データを受けて、アプリケーション上の操作として判定・変換する。
【００２７】
操作データ合成部３Ｃは、操作判定部３Ａおよび操作判定部３Ｂで判定・変換された、操作データを合成する。
【００２８】
空間／接触判定部３Ｄは、操作判定部３Ａ及び３Ｂがタッチパネル１およびタッチパネル２からの検出データを受けて、アプリケーション上の操作として判定・変換する際に、後述する接触操作および空間操作いずれかであるか判定する際の設定情報を保持する。
【００２９】
管理部３Ｅは、アプリ制御部３全体を統括し、各種アプリケーション４の種別情報や状態などの情報を取得し、保持する。
【００３０】
図２は、本発明の実施の形態１における入力制御装置の感度制御部１Ｂおよび感度制御部２Ｂの感度範囲を模式的に示す図である。
【００３１】
図示しているとおり、タッチパネル１はタッチパネル２上に配置されており、タッチパネル２は端末本体部上に配置されている。
【００３２】
ここで、感度制御部１Ｂは、タッチパネル１の感度をタッチパネル２の感度よりも高くなるよう設定している。一方、感度制御部２Ｂは、タッチパネル２の感度をタッチパネル１の感度よりも低くなるよう設定している。
【００３３】
したがって、本発明の実施形態１における入力制御装置は、入力指示部がタッチパネル１に接触して操作されている（以下、接触操作と略す）ことだけでなく、タッチパネル１に接触していなくても操作されている（以下、空間操作と略す）ことを区別して検出することができる。
【００３４】
なお、本発明の実施形態１における入力制御装置は、接触操作と空間操作の区別だけでなく、タッチパネル１の感度範囲における空間操作と、タッチパネル２の感度範囲における空間操作とを区別できることはいうまでもない。
【００３５】
図３は、本発明の実施形態１における入力制御装置のタッチパネル１およびタッチパネル２の動作手順を説明するフローチャートである。なお、ここで、タッチパネル１は、空間操作を検出し、タッチパネル２は接触操作を検出するように感度制御部１Bおよび感度制御部２Ｂが設定されているものとする。また、操作判定部３Aは空間操作を判定し、操作判定部３Bは接触操作を判定するように空間／接触判定部３Dが設定されているものとして説明する。
【００３６】
まず、検出部１Ａ（または検出部１Ｂ）は、入力指示部による入力があるか否かを判定する（ステップＳ０１）。
【００３７】
次に、検出部１Ａ（または検出部１Ｂ）が入力指示部による入力があると判定した場合（ステップＳ０１、Ｙｅｓ）、検出判定部１Ｃ（または検出判定部２Ｃ）は、入力指示による静電容量の変化から位置情報を算出し、操作に対する検出データを作成する（ステップＳ０２）。
【００３８】
一方、検出部１Ａ（または検出部１Ｂ）が入力指示部による入力がないと判定した場合（ステップＳ０１、Ｎｏ）、継続して、ステップＳ０１の処理を行う。
【００３９】
次に、通知部１Ｄ（または通知部２Ｄ）は、アプリ制御部３の操作判定部３Ａ（または操作判定部３Ｂ）に対して、検出データをそれぞれ入力する（ステップＳ０３）。
【００４０】
図４は、本発明の実施の形態１における入力制御装置のアプリ制御部内の管理部３Ｅと各種アプリケーション４との動作手順を説明するフローチャートである。
【００４１】
管理部３Eは、各種アプリケーション４の起動をチェックする（ステップS０４）。
【００４２】
次に、管理部３Eが、アプリケーション４の起動を確認した場合（ステップＳ０４、ＹＥＳ）、アプリケーション４の種別や状態などの情報を取得する（ステップＳ０５）。
【００４３】
一方、管理部３Eが各種アプリケーションの起動がないと判定した場合（ステップＳ０４、ＮＯ）、継続してステップＳ０４の処理を行う。
【００４４】
次に、管理部３Ｅは、アプリケーション４の状態変化等により、自身の持つアプリケーション情報の更新が必要か判定を行う（ステップＳ０６）。
【００４５】
管理部３Ｅが、アプリケーション情報の更新が必要と判定した場合（ステップＳ０６、ＹＥＳ）、自身の持つアプリケーション情報を最新情報に更新する（ステップＳ０７）。
【００４６】
一方、管理部３Ｅがアプリケーション情報の更新が必要でないと判定した場合（ステップＳ０６、ＮＯ）、継続してステップＳ０６の処理を行う。
【００４７】
また、管理部３Ｅの持つアプリケーション情報は、操作判定部３Ａ及び３Ｂ、データ合成部３Ｃといった各部を含めたアプリ制御部内で共有されている。
【００４８】
図５は、本発明の実施形態１における入力制御装置のアプリ制御部３の動作手順を説明するフローチャートである。
【００４９】
まず、操作判定部３Ａ（または操作判定部３Ｂ）は、通知部１Ｄ（または通知部２Ｄ）から通知された検出データがあるか否かを判定する（ステップＳ０９）。
【００５０】
次に、操作判定部３Ａ（または操作判定部３Ｂ）が、通知部１Ｄ（または通知部２Ｄ）から通知された検出データがあると判定した場合（ステップＳ０９、Ｙｅｓ）、空間／接触判定部３Ｄからの設定情報に基づき、検出データをアプリケーション毎の空間及び接触どちらかの操作に対応した操作データに変換する（ステップＳ１０及びＳ１１）。
【００５１】
一方、操作判定部３Ａ（または操作判定部３Ｂ）が、通知部１Ｄ（または通知部２Ｄ）から通知された検出データがないと判定した場合（ステップＳ０９、Ｎｏ）、継続して、ステップＳ０９の処理を行う。
【００５２】
次に、データ合成部３Ｃは、操作判定部３Ａおよび操作判定部３Ｂでアプリケーション毎の操作に変換された操作データが同時に検出された場合のみ、タッチパネルの構造上、接触操作の場合は、両方のタッチパネルで検出が行われるため、接触操作による検出データを選択するようにする。片方のみ検出された場合は、検出された操作データを選択する（ステップＳ１２）。
【００５３】
このように、本実施の形態１によれば、複数のタッチパネルを搭載した携帯端末上で、タッチパネルの検出感度を変更することによって、空間操作と接触操作という異なる操作が、同一点上で区別することができ、新たな操作を提供することができる。また、今まで似たような接触操作によって実現されてきた操作同士の誤認識操作を防止することができる。
（実施の形態２）
実施の形態２は、図１に示した入力制御装置のタッチパネル１及びタッチパネル２を静電容量式と抵抗膜式とした点が実施の形態１と異なる。
【００５４】
上記のように構成された実施の形態２における入力制御装置の動作について、特に第１の実施の形態と動作を異にする部分について以下に説明する。
【００５５】
タッチパネル２は、パネル表面にかかる圧力の変化を捕らえることによって操作位置を検出する抵抗膜式であり、図示しない入力指示部として例えば、ユーザの指の他にスタイラス等による操作内容も検出する。但し、抵抗膜式の特性上、接触操作のみを検出するように空間/接触判定部３Dで設定されていることが前提となっている点が実施の形態１と異なる。
【００５６】
このように構成された入力制御装置は、実施の形態１同様に複数のタッチパネルを搭載した携帯端末上で、空間操作と接触操作という異なる操作ができると共に、タッチパネル２を抵抗膜式に変更したことにより、入力指示部としてスタイラス等にも対応可能とすることができる。
（実施の形態３）
実施の形態３は、図１に示した入力制御装置のタッチパネル１及びタッチパネル２を光学式と抵抗膜式とした点が実施の形態１と異なる。
【００５７】
上記のように構成された実施の形態３における入力制御装置の動作について、特に実施の形態１と動作を異にする部分について以下に説明する。
【００５８】
タッチパネル１（及びタッチパネル２）は、パネル表面に配置された赤外線等の送信部と受信部（カメラ等）との間を指等で遮られた位置を捕らえることによって操作位置を検出する光学式であり、図示しない入力指示部として例えば、ユーザの指の他にスタイラス等による操作内容も検出する。
【００５９】
このように構成された入力制御装置は、実施の形態１同様に複数のタッチパネルを搭載した携帯端末上で、空間操作と接触操作という異なる操作を同一点上で区別することができるといった新たな操作を提供すると共に、タッチパネル１（及び２）を光学式に変更したことにより、入力指示部としてスタイラス等にも対応可能とすることができる。
（実施の形態４）
実施の形態４は、図示しない入力指示部（例えば指など）による操作がフリック操作であり、且つアプリケーション４がフリック操作に対応していることを想定している点が、実施の形態１と異なっている。ここで、フリック操作とは、指でパネル表面を軽く払ったり・さすったりする操作で、主に画像一覧やＷｅｂ画面等を指の払った方向にスクロールさせる操作のことをいう。
【００６０】
上記のように構成された実施の形態４のおける入力制御装置の動作について、特にフリック操作に関する動作部分について図５を用いて以下に説明する。
【００６１】
まず、操作判定部３Ａ（または操作判定部３Ｂ）は、通知部１Ｄ（または通知部２Ｄ）から通知された検出データがあるか否かを判定する（ステップＳ９）。
【００６２】
次に、操作判定部３Ａ（または操作判定部３Ｂ）が、通知部１Ｄ（または通知部２Ｄ）から通知された検出データがあると判定した場合（ステップＳ９、Ｙｅｓ）、空間／接触判定部３Ｄからの設定情報より、空間及び接触どちらかの操作に対応した操作データに変換するかを確認する（ステップＳ１０）。
【００６３】
また、管理部３Eからのアプリケーション情報より制御アプリの種類を確認し、検出データをアプリケーション毎の空間及び接触どちらかの操作に対応した操作データに変換する（ステップＳ１１）。
【００６４】
この際、ステップＳ１１においてフリック操作は、Ｗｅｂ画面等の画面スクロール操作を行う操作データに変換される。しかし、アプリケーション４がフリック操作に対応していない場合やフリック操作を受け付けない状態であった場合は、操作の選択一覧に含まれない仕様となり、無効もしくは異なる操作が選択される。
【００６５】
このように構成された入力制御装置は、実施の形態１同様に複数のタッチパネルを搭載した携帯端末上で、空間操作と接触操作という異なる操作を同一点上で区別することができるといった新たな操作方法を提供すると共に、Ｗｅｂ画面等の閲覧中のフリック操作による画面スクロールとタッチ操作による選択操作の誤認識といった内容を防ぐ効果が得られる。これらの様子を図６及び図７において図示する。
【００６６】
図６は、フリック操作によってＷｅｂ画面がスクロールされる様子を図示したものである。
【００６７】
これに対して、図７はフォルダ一覧画面においてフリック操作を行おうとした際に、『ＳＡＭＰＬＥ』と表示されたフォルダをタッチしてドラッグ操作される様子を図示したものである。
【００６８】
この様にフリック操作する際においては、フリック箇所付近に選択可能なフォルダやＷｅｂ等におけるＬＩＮＫなどが存在すると、タッチやドラッグ操作と誤認識するといったことが発生する。
（実施の形態５）
実施の形態５は、図示しない入力指示部（例えば指など）の操作が、入力指示部を空間上に一定時間置く操作であり、且つ、アプリケーション４が空間上に一定時間置く操作に対応していることを想定している点が、実施の形態１と異なっている。
【００６９】
上記のように構成された実施の形態５における入力制御装置の動作について、特に空間上に一定時間置く操作に関する動作部分について図５を用いて以下に説明する。
【００７０】
まず、操作判定部３Ａは、通知部１Ｄから通知された検出データがあるか否かを判定する（ステップＳ９）。
【００７１】
次に、操作判定部３Ａが、通知部１Ｄから通知された検出データがあると判定した場合（ステップＳ９、Ｙｅｓ）、空間／接触判定部３Ｄからの設定情報より、空間操作に対応した操作データに変換することを確認する（ステップＳ１０）。
【００７２】
また、管理部３Eからのアプリケーション情報より制御アプリの種類を確認し、検出データをアプリケーション毎の空間操作に対応した操作データに変換する（ステップＳ１１）。
この際、ステップＳ１１において空間上に一定時間置く操作は、予めタッチされるポイントとして、アイコン等を反転表示や拡大表示させる操作を行う操作データに変換される。しかし、アプリケーション４が空間上に一定時間置く操作に対応していない場合や空間上に一定時間置く操作を受け付けない状態であった場合は、操作の選択一覧に含まれない仕様となり、無効もしくは異なる操作が選択される。
【００７３】
操作判定部３Ｂは、通知部２Ｄから通知された検出データがあるか否かを判定する（ステップＳ９）。
【００７４】
次に、操作判定部３Ｂが、通知部２Ｄから通知された検出データがあると判定した場合（ステップＳ９、Ｙｅｓ）、空間／接触判定部３Ｄからの設定情報より、接触操作に対応した操作データに変換することを確認する（ステップＳ１０）。
【００７５】
また、管理部３Eからのアプリケーション情報より制御アプリの種類を確認し、検出データをアプリケーション毎の接触操作に対応した操作データに変換する（ステップＳ１１）。
【００７６】
この際、ステップＳ１１において前記ポイント付近への接触操作は、優先的に選択する操作を行う操作データに変換される。しかし、アプリケーション４が前記操作に対応していない場合や前記操作を受け付けない状態であった場合は、操作の選択一覧に含まれない仕様となり、無効もしくは異なる操作が選択される。
【００７７】
このように構成された入力制御装置は、実施の形態１同様に複数のタッチパネルを搭載した携帯端末上で、空間操作と接触操作という異なる操作を同一点上で区別することができるといった新たな操作方法を提供すると共に、タッチパネル上での選択動作などの際に予めタッチするポイントを知る事で、意図していないポイントへのタッチといった誤操作を防ぐ効果が得られる。これらの様子を図８及び図９において図示する。
【００７８】
拡大表示されていないＷｅｂ画面等においては、画面内に複数のＷｅｂリンクやアイコン等の選択対象が存在する際に、ある選択対象をタッチ操作で選択しようとしても、十分に拡大表示されていない状態だと意図していない選択対象が選択されることがある。この際、空間に一定時間指を置くことで、図８に示すように指の指すポイントが拡大や反転表示され、タッチ選択される対象が事前に確認できる。反転選択された対象は、その状態のままタッチする事で、図９に示すように周辺の選択対象より優先的に選択される。
（実施の形態６）
実施の形態６は、図示しない入力指示部（例えば指など）の操作が、入力指示部を上下する操作であり、且つ、アプリケーション４が上下する操作に対応していることを想定している点が、実施の形態１と異なっている。
【００７９】
上記のように構成された実施の形態６における入力制御装置の動作について、特に上下する操作に関する動作部分について図５を用いて以下に説明する。
【００８０】
まず、操作判定部３Ａは、通知部１Ｄから通知された検出データがあるか否かを判定する（ステップＳ９）。
【００８１】
次に、操作判定部３Ａが、通知部１Ｄから通知された検出データがあると判定した場合（ステップＳ９、Ｙｅｓ）、空間／接触判定部３Ｄからの設定情報より、空間操作に対応した操作データに変換することを確認する（ステップＳ１０）。
【００８２】
また、管理部３Eからのアプリケーション情報より制御アプリの種類を確認し、検出データをアプリケーション毎の空間操作に対応した操作データに変換する（ステップＳ１１）。
【００８３】
この際、ステップＳ１１において上下する操作は、タッチパネル上に表示されたアプリケーションの拡大・縮小操作を行う操作データに変換される。しかし、アプリケーション４が上下する操作に対応していない場合や上下する操作を受け付けない状態であった場合は、操作の選択一覧に含まれない仕様となり、無効もしくは異なる操作が選択される。
【００８４】
次に、操作判定部３Ｂが、通知部２Ｄから通知された検出データがあると判定した場合（ステップＳ９、Ｙｅｓ）、空間／接触判定部３Ｄからの設定情報より、接触操作に対応した操作データに変換することを確認する（ステップＳ１０）。
【００８５】
また、管理部３Eからのアプリケーション情報より制御アプリの種類を確認し、検出データをアプリケーション毎の接触操作に対応した操作データに変換する（ステップＳ１１）。
【００８６】
この際、ステップＳ１１において接触操作は、タッチ操作としてアイコン等の選択操作を行う操作データに変換される。しかし、アプリケーション４が前記操作に対応していない場合や前記操作を受け付けない状態であった場合は、操作の選択一覧に含まれない仕様となり、無効もしくは異なる操作が選択される。
【００８７】
このように構成された入力制御装置は、実施の形態１同様に複数のタッチパネルを搭載した携帯端末上で、空間操作と接触操作という異なる操作を同一点上で区別することができるといった新たな操作方法を提供すると共に、指等の上下による拡大・縮小操作が同一点上におけるタッチ操作と誤操作されるのを防ぐ効果が得られる。これらの様子を図１０及び図１１において図示する。
【００８８】
Ｗｅｂや地図アプリ等の画面において任意の倍率に拡大する場合は、図１０に示すように拡大したい箇所において指等を上方に操作することを行い、逆に任意の倍率に縮小する場合は、図１１に示すように指等を下方に操作することを行う。
（実施の形態７）
実施の形態７は、図示しない入力指示部（例えば指など）の操作が、入力指示部の囲い操作であり、且つ、アプリケーション４が囲い操作に対応していることを想定している点が、実施の形態１と異なっている。
【００８９】
上記のように構成された実施の形態６における入力制御装置の動作について、特に囲い操作に関する動作部分について図５を用いて以下に説明する。
【００９０】
まず、操作判定部３Ａは、通知部１Ｄから通知された検出データがあるか否かを判定する（ステップＳ９）。
【００９１】
次に、操作判定部３Ａが、通知部１Ｄから通知された検出データがあると判定した場合（ステップＳ９、Ｙｅｓ）、空間／接触判定部３Ｄからの設定情報より、空間操作に対応した操作データに変換することを確認する（ステップＳ１０）。
【００９２】
また、管理部３Eからのアプリケーション情報より制御アプリの種類を確認し、検出データをアプリケーション毎の空間操作に対応した操作データに変換する（ステップＳ１１）。
【００９３】
この際、ステップＳ１１において囲い操作は、選択範囲内のファイルやフォルダなどのオブジェクトの複数選択操作を行う操作データに変換される。しかし、アプリケーション４が囲い操作に対応していない場合や囲い操作を受け付けない状態であった場合は、操作の選択一覧に含まれない仕様となり、無効もしくは異なる操作が選択される。
【００９４】
次に、操作判定部３Ｂが、通知部２Ｄから通知された検出データがあると判定した場合（ステップＳ９、Ｙｅｓ）、空間／接触判定部３Ｄからの設定情報より、接触操作に対応した操作データに変換することを確認する（ステップＳ１０）。
【００９５】
また、管理部３Eからのアプリケーション情報より制御アプリの種類を確認し、検出データをアプリケーション毎の接触操作に対応した操作データに変換する（ステップＳ１１）。
【００９６】
この際、ステップＳ１１において接触操作は、タッチ操作としてアイコン等の選択操作を行う操作データやファイル等のドラッグ操作に変換される。しかし、アプリケーション４が前記操作に対応していない場合や前記操作を受け付けない状態であった場合は、操作の選択一覧に含まれない仕様となり、無効もしくは異なる操作が選択される。
【００９７】
このように構成された入力制御装置は、実施の形態１同様に複数のタッチパネルを搭載した携帯端末上で、空間操作と接触操作という異なる操作を同一点上で区別することができるといった新たな操作方法を提供すると共に、指等の囲い操作による選択範囲内の複数選択操作が同一点上におけるドラッグやタッチ操作と誤操作されるのを防ぐ効果が得られる。これらの様子を図１２において図示する。
【００９８】
フォルダや画像一覧画面等において、図１２に示すように選択したいフォルダや画像を囲うように指を操作すると、囲い込んだ範囲内にあるフォルダや画像等が複数選択される。
【産業上の利用可能性】
【００９９】
本発明によれば、指等を直接タッチパネルに接触させて行う操作と、接触させないで行う操作という２つの操作方法を実現することにより、新たな操作方法を提供することができるため、限られたスペースにおいて複雑な入力指示を受け付けることのある携帯電話やＰＤＡ等の電子機器に好適である。
【符号の説明】
【０１００】
１、２    タッチパネル
１Ａ、２Ａ    検出部
１Ｂ、２Ｂ    感度制御部
１Ｃ、２Ｃ    検出判定部
１Ｄ、２Ｄ    通知部
３    アプリ制御部
３Ａ、３Ｂ    操作判定部
３Ｃ    操作データ合成部
３Ｄ    空間／接触判定部
３Ｅ    管理部
４    各種アプリケーション
【図１】
2011022961.tif 000003
【図２】
2011022961.tif 000004
【図３】
2011022961.tif 000005
【図４】
2011022961.tif 000006
【図５】
2011022961.tif 000007
【図６】
2011022961.tif 000008
【図７】
2011022961.tif 000009
【図８】
2011022961.tif 000010
【図９】
2011022961.tif 000011
【図１０】
2011022961.tif 000012
【図１１】
2011022961.tif 000013
【図１２】
2011022961.tif 000014
【図１３】
2011022961.tif 000015